(57)【要約】【課題】立体映像表示及び非立体映像表示を自動的に切替えることができる表示システム、眼鏡、表示装置及びテレビジョン受信装置の提供。【解決手段】３Ｄメガネ２０の電源スイッチが入操作された場合（Ｓ１２）、３Ｄメガネ２０は、非立体映像表示から立体映像表示への切替えを指示する切替信号を表示装置１０へ送信する（Ｓ１３）。表示装置１０にて非立体映像表示を行っている場合に（Ｓ１１）、３Ｄメガネ２０から送信される切替信号を受信した場合（Ｓ１４：ＹＥＳ）、表示装置１０は、非立体映像表示から立体映像表示への切替えを行い（Ｓ１５）、３Ｄメガネ２０のアクティブシャッタの開閉状態を制御するために制御信号を３Ｄメガネ２０へ送信する（Ｓ１６）。【選択図】図５
2013198001.tif 000002
【特許請求の範囲】
【請求項１】
左眼用映像及び右眼用映像を交互に表示する立体映像表示と、左右両眼用の映像を表示する非立体映像表示との切替えが可能な表示装置と、
電源からの電力供給により開閉駆動される左眼用シャッタ及び右眼用シャッタ、並びに前記電源の入切を操作する操作部を有し、前記表示装置が表示する左眼用映像及び右眼用映像の表示タイミングに同期させて前記左眼用シャッタ及び右眼用シャッタを開閉する眼鏡と
を備える表示システムにおいて、
前記眼鏡は、
前記電源の切状態から入状態への切替操作を前記操作部にて受付けた場合、非立体映像表示から立体映像表示への切替えを指示する切替信号を前記表示装置へ送信する手段
を備え、
前記表示装置は、
前記眼鏡から送信される信号を受信する受信手段と、
非立体映像表示を行っている際に、前記受信手段が前記切替信号を受信した場合、前記非立体映像表示を立体映像表示に切替える手段と
を備えることを特徴とする表示システム。
【請求項２】
前記眼鏡は、前記電源の入状態から切状態への切替操作を前記操作部にて受付けた場合、立体映像表示から非立体映像表示への切替えを指示する解除信号を前記表示装置へ送信する手段を備え、
前記表示装置は、立体映像表示を行っている際に、前記受信手段が前記解除信号を受信した場合、前記立体映像表示を非立体映像表示に切替える手段を備える
ことを特徴とする請求項１に記載の表示システム。
【請求項３】
前記表示装置は、
立体映像表示の際に表示する左眼用映像及び右眼用映像が、立体映像表示用のコンテンツに基づく映像であるか否かを判断する手段と、
前記左眼用映像及び右眼用映像が、立体映像表示用のコンテンツに基づく映像でないと判断した場合、その旨を報知する手段と
を更に備えることを特徴とする請求項1又は請求項２に記載の表示システム。
【請求項４】
前記表示装置は、
テレビジョン放送を受信する手段と、
該手段にて受信したテレビジョン放送に基づく映像を表示する手段と
を備えることを特徴とする請求項１から請求項３の何れか１つに記載の表示システム。
【請求項５】
電源からの電力供給により開閉駆動される左眼用シャッタ及び右眼用シャッタ、並びに前記電源の入切を操作する操作部を備える眼鏡において、
前記電源の切状態から入状態への切替操作を前記操作部にて受付けた場合、所定の信号を外部へ送信する手段
を備えることを特徴とする眼鏡。
【請求項６】
左眼用映像及び右眼用映像を交互に表示する立体映像表示と、左右両眼用の映像を表示する非立体映像表示との切替えが可能であり、立体映像表示を行う場合、電源からの電力供給により開閉駆動される左眼用シャッタ及び右眼用シャッタを備えた眼鏡に対し、前記左眼用シャッタ及び右眼用シャッタの開閉タイミングを示す信号を送信する表示装置において、
前記電源が切状態から入状態へ切替えられた場合に前記眼鏡が送信する信号を受信する手段と、
非立体映像表示を行っている場合に前記信号を受信したとき、前記非立体映像表示を立体映像表示に切替える手段と
を備えることを特徴とする表示装置。
【請求項７】
請求項６に記載の表示装置と、
テレビジョン放送を受信する受信手段と
を備え、
該受信手段にて受信したテレビジョン放送に基づく映像を前記表示装置に表示するようにしてあることを特徴とするテレビジョン受信装置。
【発明の詳細な説明】
【技術分野】
【０００１】
本発明は、立体映像表示及び非立体映像表示を自動的に切替える表示システム、眼鏡、表示装置及びテレビジョン受信装置に関する。
【背景技術】
【０００２】
立体映像表示装置である３Ｄテレビジョンは、両眼視差による映像の立体化現象を利用している。この場合、テレビジョン受信装置側で左眼用と右眼用の映像が表示され、視聴者が３Ｄメガネをかけることで、それらの映像が左眼及び右眼にそれぞれに取り込まれ、立体的な映像として認識される。
【０００３】
具体的な手法として、例えば、フルＨＤ画質を保ちつつ、３Ｄ映像化を可能としたフレームシーケンシャル方式が提案されている。この方式は、左眼用の映像と右眼用の映像とを画面に交互に表示し、その表示の切替えに同期させて３Ｄメガネの左右のレンズをアクティブシャッタによりオン／オフし、両眼視差を作り出すことにより、立体的な映像が得られるようにしたものである。
【先行技術文献】
【特許文献】
【０００４】
【特許文献１】特開２０１１−９１７９０号公報
【発明の概要】
【発明が解決しようとする課題】
【０００５】
上述した３Ｄテレビジョンは、一般的に、２Ｄ映像を表示するための２Ｄ表示モードと３Ｄ映像を表示するための３Ｄ表示モードとを有している。２Ｄ映像を視聴していた視聴者が３Ｄ映像を視聴する場合、視聴者は、リモートコントローラを操作して２Ｄ表示モードから３Ｄ表示モードへの切替えを行うと共に、３Ｄメガネの電源を入れて、頭部に装着することを行う。同様に、３Ｄ映像の視聴を終えて２Ｄ映像へ切替える場合、視聴者は、リモートコントローラを操作して３Ｄ表示モードから２Ｄ表示モードへの切替えを行うと共に、装着していた３Ｄメガネを外し、電源を切ることを行う。
【０００６】
このような切替操作の煩わしさを軽減するために、例えば、特許文献１では、３Ｄメガネの装着の有無を３Ｄテレビジョン側で判定し、その判定結果に基づいて２Ｄ表示モードから３Ｄ表示モードへの切替え、及び３Ｄ表示モードから２Ｄ表示モードへの切替えを自動的に行うシステムが提案されている。
【０００７】
しかしながら、特許文献１に記載のシステムでは、３Ｄメガネの装着の有無を判定するための判定部を３Ｄテレビジョン側に設ける必要があり、既存の３Ｄテレビジョンには適用することができないという問題点を有していた。
【０００８】
本発明は、斯かる事情に鑑みてなされたものであり、既存の表示装置に新たに判定部を設けることなく、視聴者が立体映像（３Ｄ映像）を視聴するタイミング、及び立体映像の視聴を終えたタイミングで自動的に表示モードを切替えることができる表示システム、眼鏡、表示装置及びテレビジョン受信装置を提供することを目的とする。
【課題を解決するための手段】
【０００９】
本発明に係る表示システムは、左眼用映像及び右眼用映像を交互に表示する立体映像表示と、左右両眼用の映像を表示する非立体映像表示との切替えが可能な表示装置と、電源からの電力供給により開閉駆動される左眼用シャッタ及び右眼用シャッタ、並びに前記電源の入切を操作する操作部を有し、前記表示装置が表示する左眼用映像及び右眼用映像の表示タイミングに同期させて前記左眼用シャッタ及び右眼用シャッタを開閉する眼鏡とを備える表示システムにおいて、前記眼鏡は、前記電源の切状態から入状態への切替操作を前記操作部にて受付けた場合、非立体映像表示から立体映像表示への切替えを指示する切替信号を前記表示装置へ送信する手段を備え、前記表示装置は、前記眼鏡から送信される信号を受信する受信手段と、非立体映像表示を行っている際に、前記受信手段が前記切替信号を受信した場合、前記非立体映像表示を立体映像表示に切替える手段とを備えることを特徴とする。
【００１０】
本発明に係る表示システムは、前記眼鏡は、前記電源の入状態から切状態への切替操作を前記操作部にて受付けた場合、立体映像表示から非立体映像表示への切替えを指示する解除信号を前記表示装置へ送信する手段を備え、前記表示装置は、立体映像表示を行っている際に、前記受信手段が前記解除信号を受信した場合、前記立体映像表示を非立体映像表示に切替える手段を備えることを特徴とする。
【００１１】
本発明に係る表示システムは、前記表示装置は、立体映像表示の際に表示する左眼用映像及び右眼用映像が、立体映像表示用のコンテンツに基づく映像であるか否かを判断する手段と、前記左眼用映像及び右眼用映像が、立体映像表示用のコンテンツに基づく映像でないと判断した場合、その旨を報知する手段とを更に備えることを特徴とする。
【００１２】
本発明に係る表示システムは、前記表示装置は、テレビジョン放送を受信する手段と、該手段にて受信したテレビジョン放送に基づく映像を表示する手段とを備えることを特徴とする。
【００１３】
本発明に係る眼鏡は、電源からの電力供給により開閉駆動される左眼用シャッタ及び右眼用シャッタ、並びに前記電源の入切を操作する操作部を備える眼鏡において、前記電源の切状態から入状態への切替操作を前記操作部にて受付けた場合、所定の信号を外部へ送信する手段を備えることを特徴とする。
【００１４】
本発明に係る表示装置は、左眼用映像及び右眼用映像を交互に表示する立体映像表示と、左右両眼用の映像を表示する非立体映像表示との切替えが可能であり、立体映像表示を行う場合、電源からの電力供給により開閉駆動される左眼用シャッタ及び右眼用シャッタを備えた眼鏡に対し、前記左眼用シャッタ及び右眼用シャッタの開閉タイミングを示す信号を送信する表示装置において、前記電源が切状態から入状態へ切替えられた場合に前記眼鏡が送信する信号を受信する手段と、非立体映像表示を行っている場合に前記信号を受信したとき、前記非立体映像表示を立体映像表示に切替える手段とを備えることを特徴とする。
【００１５】
本発明に係るテレビジョン受信装置は、前述した発明に記載の表示装置と、テレビジョン放送を受信する受信手段とを備え、該受信手段にて受信したテレビジョン放送に基づく映像を前記表示装置に表示するようにしてあることを特徴とする。
【００１６】
本発明では、表示装置による立体映像表示を視聴するための眼鏡の電源が投入された場合、眼鏡から表示装置に対し、非立体映像表示から立体映像表示への切替えを指示する信号を送信する。逆に、眼鏡の電源が切断された場合、眼鏡から表示装置に対し、立体映像表示から非立体映像表示への切替えを指示する信号を送信する。
表示装置は、眼鏡から送信される信号に基づき、非立体映像表示から立体映像表示への切替え、及び立体映像表示から非立体映像表示への切替えを行う。すなわち、立体映像表示を視聴するための眼鏡の電源が投入されたタイミングにて、表示装置は、自動的に非立体映像表示から立体映像表示への切替えを行う。また、視聴者が立体映像表示の視聴を終え、眼鏡の電源を切断したタイミングで、表示装置は、自動的に立体映像表示から非立体映像表示への切替えを行う。
【００１７】
また、本発明では、立体映像表示を行う際に、表示すべき左眼用映像及び右眼用映像が立体映像表示用のコンテンツに基づく映像でない場合、その旨を報知する。
【発明の効果】
【００１８】
本発明によれば、視聴者が立体映像（３Ｄ映像）を視聴するタイミング、及び立体映像の視聴を終えたタイミングで自動的に表示モードを切替えることができる。この結果、表示装置を遠隔操作するためのリモートコントローラにより予め表示モードを切替えた上で、眼鏡の電源を投入し、頭部に装着するといった手順を踏む必要がなくなり、必要最小限の手順により立体映像の視聴が可能となる。このように、操作手順の一部を省略することにより、切替えるタイミングにロスが発生しないため、視聴機会を逃してしまうことを回避することができる。
【００１９】
また、本発明によれば、電源投入時及び切断時に眼鏡から表示装置へ送信する信号を、リモートコントローラにより表示モードを切替えるリモコン信号と共用することができる。このため、視聴者が眼鏡を掛けたことを判定するための新たな判定部を表示装置側に設ける必要がなくなり、立体映像表示及び非立体映像表示の切替え機能を有した既存の表示装置にも本発明を適用することができる。
【００２０】
また、本発明によれば、立体映像表示を行う際に、表示対象のコンテンツが立体映像表示に対応したコンテンツでないと判断した場合、その旨を報知するため、報知を受けた視聴者は、立体映像表示を視聴するための眼鏡を外しておくことができ、眼鏡を掛けておく時間を短くすることができる。
また、本発明では、表示対象のコンテンツが立体映像表示に対応したコンテンツであるか否かを判断する構成を備えるため、立体映像表示に切替えられた際に、コンテンツが立体映像表示に対応していないと判断した場合、表示装置にて疑似的な立体映像を生成し、表示するようにすることが可能となる。
【図面の簡単な説明】
【００２１】
【図１】本実施の形態に係る表示システムを示す模式図である。
【図２】表示装置の内部構成を示すブロック図である。
【図３】３Ｄメガネの内部構成を示すブロック図である。
【図４】３Ｄメガネの動作状態を示すタイミングチャートである。
【図５】本実施の形態に係る表示システムの動作手順を示すフローチャートである。
【発明を実施するための形態】
【００２２】
以下、本発明をその実施の形態を示す図面に基づいて具体的に説明する。
図１は本実施の形態に係る表示システムを示す模式図である。本実施の形態に係る表示システムは、立体映像表示と非立体映像表示とを切替えることができる表示装置１０、及び表示装置１０にて表示される立体映像を視聴するための３Ｄメガネ２０を含む。
【００２３】
表示装置１０は、例えば、液晶テレビジョン受信装置、液晶モニタ、デジタルフォトフレーム等の表示デバイスである。以下では、本実施の形態に係る表示装置１０は、液晶テレビジョン受信装置であるとして説明を行うものとする。
【００２４】
表示装置１０は、左眼用映像及び右眼用映像を交互に切替えて表示することにより、立体映像表示を行う。ユーザは、立体映像を視聴するために、左眼用映像及び右眼用映像の表示タイミングに同期して開閉するアクティブシャッタ（左眼用シャッタ２５及び右眼用シャッタ２６；図３を参照）を備えた３Ｄメガネ２０を装着する。本実施の形態に係る表示システムでは、表示装置１０にて左眼用映像を表示している期間に３Ｄメガネ２０の右眼用シャッタ２６を閉状態、左眼用シャッタ２５を開状態とし、右眼用映像を表示している期間に３Ｄメガネ２０の左眼用シャッタ２５を閉状態、右眼用シャッタ２６を開状態とすることにより、両眼視差を作り出し、立体的な映像が得られるようにしている。
表示装置１０が非立体映像表示を行う場合、左眼用映像及び右眼用映像の交互の切替えは不要であり、左右両眼用の映像を連続的に表示する。
【００２５】
以下では、左眼用映像及び右眼用映像を交互に切替える表示を立体映像表示、左右両眼用の映像の連続的な表示を非立体映像表示という。
【００２６】
３Ｄメガネ２０は、左眼用シャッタ２５及び右眼用シャッタ２６を開閉駆動するために電源２１を有している。本実施の形態に係る表示システムは、３Ｄメガネ２０の電源２１の入切（オン／オフ）に応じて、非立体映像表示から立体映像表示への切替え、又は立体映像表示から非立体映像表示への切替えを行うこと特徴の１つとしている。
【００２７】
図２は表示装置１０の内部構成を示すブロック図である。表示装置１０は、映像選択部１１、映像処理部１２、表示コントローラ１３、液晶パネル１４、バックライトコントローラ１５、バックライト１６、メガネコントローラ１７、及びリモコン信号受信部１８を備える。
【００２８】
映像選択部１１は、映像信号の入力源を選択し、選択した入力源から映像信号を取得するためのインタフェースである。入力源としては、テレビジョン放送を受信するアンテナ、ＨＤＭＩ機器、パーソナルコンピュータ（ＰＣ）、及びＵＳＢに接続されるデジタルスチルカメラ、メディアプレーヤなどのＵＳＢ機器等を含む各種映像信号を出力する機器が含まれる。本実施の形態では、映像選択部１１が選択した入力源から、立体映像表示又は非立体映像表示に対応したコンテンツが映像信号として入力される。なお、入力源は、例えば、図に示していないユーザインタフェースを通じてユーザによって選択される。
映像選択部１１は、入力源を通じて取得した映像信号を映像処理部１２へ出力する。
【００２９】
映像処理部１２は、入力された映像信号に対して各種信号処理を行うための処理部である。映像処理部１２は、例えば、映像信号のＡ／Ｄ変換、Ａ／Ｄ変換後の映像信号から水平同期信号及び垂直同期信号の分離、これらの同期信号に位相同期したクロック信号の生成、Ａ／Ｄ変換後の映像信号からの輝度信号及び色信号の分離、画質改善処理等の処理を実行する。
ここで、映像選択部１１より立体映像表示に対応したコンテンツが入力された場合、映像処理部１２は、入力されたコンテンツから得られる映像信号に基づいて、左眼用映像信号及び右眼用映像信号の書込み順序（表示順序）の制御を行うことにより、表示信号を生成する。ここでは、１フレーム期間（又は１サブフレーム期間）毎に、左眼用映像信号と右眼用映像信号とが交互に配列してなる表示信号を生成する。
映像処理部１２は、生成した表示信号や水平・垂直同期信号等を表示コントローラ１３へ出力する。
【００３０】
表示コントローラ１３は、映像処理部１２から入力された表示信号、水平・垂直同期信号に基づいて、液晶パネル１４を制御することにより、液晶パネル１４が有する表示領域に、表示信号に基づく映像を表示させる。
映像選択部１１より入力されたコンテンツが立体映像表示に対応したコンテンツである場合には、映像処理部１２にて左眼用映像信号と右眼用映像信号とが交互に配列してなる表示信号が生成されるので、この表示信号に基づいて映像を表示させた場合、左眼用映像信号に基づく左眼用映像と右眼用映像信号に基づく右眼用画像とがフレーム毎（又はサブフレーム毎）に切替えられる表示、すなわち立体映像表示が実行されることになる。
【００３１】
バックライトコントローラ１５は、バックライト１６のオン／オフ（点灯および消灯）を制御するための制御回路である。液晶表示デバイスは、一般的に、画面の上部から下部に向かってライン毎に映像の書込み走査を行うことにより映像表示を行う。このため、１フレーム毎（又はサブフレーム毎）に左眼用映像と右眼用映像とを切替えて立体映像の表示を行う場合、画面内には、左眼用映像が書込まれている領域と右眼用映像が書込まれている領域とが混在する期間が発生する。１つの画面内で左眼用映像及び右眼用映像が混在することにより、映像同士の間で干渉（クロストーク）が発生し、例えば、左眼用映像の一部が右眼に、右眼用映像の一部が左眼にそれぞれ漏れ込む現象が発生する。したがって、このようなクロストークの発生を抑えるために、バックライトコントローラ１５は、１つの画面内で左眼用映像及び右眼用映像が混在する期間にバックライト１６をオフする制御を行う。
【００３２】
バックライト１６は、液晶パネル１４に対して光を照射するための光源であり、例えば、ＬＥＤアレイ（LED : Light Emitting Diode）、ＣＣＦＬ（Cold Cathode Fluorescent Lamp）等を用いることができる。バックライト１６は、バックライトコントローラ１５から出力される信号に基づき、その点灯動作および消灯動作が切替えられるように構成されている。
【００３３】
メガネコントローラ１７は、３Ｄメガネ２０を有線又は無線により接続するための接続インタフェース（不図示）を備える。表示装置１０にて立体映像表示を行う場合、メガネコントローラ１７は、３Ｄメガネ２０の左眼用シャッタ２５及び右眼用シャッタ２６の開閉を制御するために、左眼用シャッタ２５及び右眼用シャッタ２６の開閉タイミングを示す信号を生成し、生成した信号を３Ｄメガネ２０へ送信する。具体的には、メガネコントローラ１７は、左眼用映像の書込みを開始するタイミングで左眼用シャッタ２５を開状態、右眼用シャッタ２６を閉状態とする制御信号を３Ｄメガネ２０へ送信し、右眼用映像の書込みを開始するタイミングで右眼用シャッタ２６を開状態、左眼用シャッタ２５を閉状態とする制御信号を３Ｄメガネ２０へ送信する。
【００３４】
リモコン信号受信部１８は、表示装置１０を遠隔操作するためのリモートコントローラ（不図示）から出力される赤外線信号を受信し、受信した赤外線信号をデコードすることによって赤外線信号に含まれるリモコンコードを取得する機能を備える。リモートコントローラによる遠隔操作には、映像信号の入力源を切替える操作、選局操作、音量を変更する操作、立体映像を視聴する際に非立体映像表示を立体映像表示に切替える操作、立体映像の視聴を終えたときに立体映像表示を非立体映像表示に切替える操作等が含まれる。表示装置１０は、リモコン信号受信部１８にて受信した赤外線信号をデコードし、得られるリモコンコードに基づいてハードウェア各部の動作を制御することにより、ユーザが指示した操作に対応する動作を行う。
【００３５】
図３は３Ｄメガネ２０の内部構成を示すブロック図である。３Ｄメガネ２０は、電源２１、電源スイッチ２２、通信部２３、シャッタ駆動部２４、左眼用シャッタ２５及び右眼用シャッタ２６、並びにリモコン信号送信部２７を備える。
【００３６】
３Ｄメガネ２０は、左眼用レンズ及び右眼用レンズを有している。本実施の形態では、表示装置１０による立体映像を視聴可能とするために、左眼用レンズ及び右眼用レンズにそれぞれ液晶シャッタなどのアクティブシャッタを設けている。本明細書では、左眼用レンズに対するアクティブシャッタを左眼用シャッタ２５、右眼用レンズに対するアクティブシャッタを右眼用シャッタ２６と称している。
【００３７】
電源スイッチ２２は、電源２１の入切を操作する操作部である。ユーザが電源スイッチ２２の入操作を行った場合（すなわち、電源２１を切状態から入状態へ切替える切替操作を受付けた場合）、電源２１から３Ｄメガネ２０のハードウェア各部に電力の供給を行い、ハードウェア各部の動作を開始させることにより、３Ｄメガネ２０を本願発明に係る眼鏡として機能させる。また、ユーザが電源スイッチ２２の切操作を行った場合（すなわち、電源２１を入状態から切状態へ切替える切替操作を受付けた場合）、ハードウェア各部の動作を停止させる処理を行い、その後に電源２１からの電力供給を停止させる。
【００３８】
通信部２３は、表示装置１０側のメガネコントローラ１７と通信を行う。前述したように、表示装置１０は、立体映像表示を行う場合、左眼用シャッタ２５及び右眼用シャッタ２６の開閉タイミングを示す信号（制御信号）を送信する。３Ｄメガネ２０の通信部２３は、表示装置１０のメガネコントローラ１７から左眼用シャッタ２５及び右眼用シャッタ２６の開閉タイミングを示す信号（制御信号）を受信した場合、受信した制御信号をシャッタ駆動部２４へ送出する。
【００３９】
シャッタ駆動部２４は、通信部２３を通じて送出される表示装置１０からの信号に基づき、左眼用シャッタ２５及び右眼用シャッタ２６を開閉駆動する。表示装置１０は、液晶パネル１４に左眼用映像を表示する際、左眼用シャッタ２５を開状態、右眼用シャッタ２６を閉状態とする制御信号を送信するので、シャッタ制御部は、通信部２３を通じて受信する当該制御信号に従って、左眼用シャッタ２５及び右眼用シャッタ２６を夫々駆動し、左眼用シャッタ２５を開状態、右眼用シャッタ２６を閉状態とする制御を行う。同様に、表示装置１０は、液晶パネル１４に右眼用映像を表示する際、左眼用シャッタ２５を閉状態、右眼用シャッタ２６を開状態とする制御信号を送信するので、シャッタ制御部は、通信部２３を通じて受信する当該制御信号に従って、左眼用シャッタ２５及び右眼用シャッタ２６を夫々駆動し、左眼用シャッタ２５を閉状態、右眼用シャッタ２６を開状態とする制御を行う。
【００４０】
リモコン信号送信部２７は、表示装置１０側のリモコン信号受信部１８にてデコード可能な信号を生成し、生成した信号を表示装置１０へ送信する。本実施の形態では、表示装置１０のリモコン信号受信部１８にて赤外線信号を受信する構成であるため、３Ｄメガネ２０のリモコン信号送信部２７は、所望のリモコンコードを含んだ赤外線信号を生成し、表示装置１０へ送信する。
【００４１】
本実施の形態に係る３Ｄメガネ２０は、電源スイッチ２２により電源２１が投入された場合（切状態から入状態への切替操作を受付けた場合）、非立体映像表示から立体映像表示への切替えを指示するリモコンコードを含んだ信号（切替信号）を表示装置１０へ送信する。また、３Ｄメガネ２０は、電源スイッチ２２により電源２１が切断された場合（入状態から切状態への切替操作を受付けた場合）、立体映像表示から非立体映像表示への切替えを指示するリモコンコードを含んだ信号（解除信号）を表示装置１０へ送信する。
３Ｄメガネ２０から送信される切替信号を表示装置１０が受信した場合、表示装置１０は、非立体映像表示から立体映像表示に切替えて映像の表示を行う。また、３Ｄメガネ２０から送信される解除信号を表示装置１０が受信した場合、表示装置１０は、立体映像表示から非立体映像表示に切替えて映像の表示を行う。
【００４２】
なお、本実施の形態では、３Ｄメガネ２０の電源２１の入切に応じて送信する信号に非立体映像表示から立体映像表示への切替えを指示するリモコンコード（又は立体映像表示から非立体映像表示への切替えを指示するリモコンコード）を含ませる構成としたが、３Ｄメガネ２０の電源２１が投入された場合、電源２１が入状態であることを示す信号を表示装置１０へ送信し、電源２１が切断された場合、電源２１が切状態であることを示す信号を表示装置１０へ送信する構成としてもよい。この場合、電源２１の入切を示す信号を受信した表示装置１０において、非立体映像表示から立体映像表示への切替え、及び立体映像表示から非立体映像表示への切替えの何れを実施するかを判断すればよい。
【００４３】
図４は３Ｄメガネ２０の動作状態を示すタイミングチャートである。表示装置１０では、左右両眼用の映像をフレーム単位（又はサブフレーム単位）で表示する非立体映像表示が行われているものとする。３Ｄメガネ２０の電源スイッチ２２により電源２１が投入された場合、３Ｄメガネ２０を構成するハードウェア各部への電力供給を開始し、動作可能な状態に移行させる。電力の供給が開始されることによってリモコン信号送信部２７等が動作可能となるので、３Ｄメガネ２０は、リモコン信号送信部２７を通じて非立体映像表示から立体映像表示への切替えを指示する切替信号を表示装置１０へ送信する。
【００４４】
表示装置１０は、３Ｄメガネ２０から送信される切替信号をリモコン信号受信部１８にて受信した場合、非立体映像表示を立体映像表示に切替えて映像の表示を行う。なお、表示装置１０にて非立体映像表示を行っている場合にのみ、立体映像表示への切替えを行えばよい。例えば、リモートコントローラを用いた遠隔操作により、表示装置１０において事前に立体映像表示への切替えが完了しており、表示装置１０にて立体映像表示を行っている場合には、３Ｄメガネ２０から切替信号を受信した際の表示の切替えは不要であり、立体映像表示を継続して行えばよい。
【００４５】
３Ｄメガネ２０の電源スイッチ２２により電源２１の切操作を受付けた場合、３Ｄメガネ２０は、ハードウェア各部の動作を停止させる処理を順次行い、その後に電源２１からの電力供給を停止させる。３Ｄメガネ２０は、電源スイッチ２２の切操作を受付けてからハードウェア各部の動作を停止させるまでの間に、立体映像表示から非立体映像表示への切替えを指示する解除信号を表示装置１０へ送信する。
【００４６】
表示装置１０は、３Ｄメガネ２０から送信される解除信号をリモコン信号受信部１８にて受信した場合、立体映像表示を非立体映像表示に切替えて映像の表示を行う。なお、表示装置１０にて立体映像表示を行っている場合にのみ、非立体映像表示への切替えを行えばよい。例えば、リモートコントローラを用いた遠隔操作により、表示装置１０において事前に非立体映像表示への切替えが完了しており、表示装置１０にて非立体映像表示を行っている場合には、３Ｄメガネ２０から解除信号を受信した際の表示の切替えは不要であり、非立体映像表示を継続して行えばよい。
【００４７】
図５は本実施の形態に係る表示システムの動作手順を示すフローチャートである。表示装置１０の電源（不図示）が投入された場合、映像選択部１１により選択されている入力源から映像信号を取得し、取得した映像信号に基づき映像表示を行う。このとき、表示装置１０は、映像処理部１２によって左右両眼用の映像を生成し、液晶パネル１４に左右両眼用の映像を表示させることにより非立体映像表示を行う（ステップＳ１１）。
【００４８】
３Ｄメガネ２０は、電源スイッチ２２が入操作された場合（ステップＳ１２）、ハードウェア各部への電力供給を開始すると共に、非立体映像表示から立体映像表示への切替えを指示する切替信号（リモコン信号）をリモコン信号送信部２７を通じて表示装置１０へ送信する（ステップＳ１３）。
【００４９】
表示装置１０は、３Ｄメガネ２０から送信される切替信号をリモコン信号受信部１８にて受信したか否かを判断する（ステップＳ１４）。受信していないと判断した場合には（Ｓ１４：ＮＯ）、非立体映像表示を継続して行う。
【００５０】
３Ｄメガネ２０から送信される切替信号をリモコン信号受信部１８にて受信したと判断した場合（Ｓ１４：ＹＥＳ）、表示装置１０は、非立体映像表示を立体映像表示に切替える（ステップＳ１５）。具体的には、１フレーム期間（又は１サブフレーム期間）毎に、左眼用映像信号と右眼用映像信号とが交互に配列してなる表示信号を映像処理部１２にて生成し、この表示信号に基づいて液晶パネル１４に映像を表示させることにより、立体映像表示を行う。また、表示装置１０は、３Ｄメガネ２０の左眼用シャッタ２５及び右眼用シャッタ２６の開閉状態を制御するための制御信号を、メガネコントローラ１７を通じて３Ｄメガネ２０へ送信する（ステップＳ１６）。
３Ｄメガネ２０が表示装置１０から送信される制御信号を受信した場合、シャッタ駆動部２４は、その制御信号に従って左眼用シャッタ２５及び右眼用シャッタ２６（アクティブシャッタ）を駆動し（ステップＳ１７）、表示装置１０にて左眼用映像が表示されている期間には、左眼用シャッタ２５が開状態、右眼用シャッタ２６が閉状態となるように、右眼用映像が表示されている期間には、左眼用シャッタ２５が閉状態、右眼用シャッタ２６が開状態となるように制御を行う。
【００５１】
表示装置１０にて立体映像表示を行う場合、左右の視野が異なる映像（左眼用映像及び右眼用映像）を含み、立体映像表示に対応したコンテンツに基づく映像信号が映像選択部１１を通じて入力されることが望ましい。しかしながら、立体映像表示に対応したコンテンツでない場合であっても、映像処理部１２にて疑似的に左右の視差を有する左眼用映像及び右眼用映像を生成し、生成した左眼用映像及び右眼用映像に基づき、立体映像表示を行う構成であってもよい。
また、立体映像表示に対応したコンテンツでない場合、その旨を表す文字情報を液晶パネル１４に表示させ、現時点では立体映像表示が行われていない旨をユーザに報知する構成であってもよい。
【００５２】
３Ｄメガネ２０は、電源スイッチ２２が切操作された場合（ステップＳ１８）、立体映像表示から非立体映像表示への切替えを指示する解除信号（リモコン信号）をリモコン信号送信部２７を通じて表示装置１０へ送信すると共に（ステップＳ１９）、ハードウェア各部の動作を停止させる処理を行い、その後に電源２１からの電力供給を停止させる。
【００５３】
表示装置１０は、３Ｄメガネ２０から送信される解除信号をリモコン信号受信部１８にて受信したか否かを判断する（ステップＳ２０）。受信していないと判断した場合には（Ｓ２０：ＮＯ）、立体映像表示を継続して行う。
【００５４】
３Ｄメガネ２０から送信される解除信号を受信したと判断した場合（Ｓ２０：ＹＥＳ）、表示装置１０は、立体映像表示を非立体映像表示に切替える（ステップＳ２１）。このとき、表示装置１０は、左眼用映像及び右眼用映像を交互に切替える表示を停止し、各フレーム期間（各サブフレーム期間）において左右両眼用の映像を液晶パネル１４に表示させることにより、非立体映像表示を行う。
【００５５】
以上のように、本実施の形態に係る表示装置１０は、立体映像を視聴しようとするユーザの意図、及び立体映像の視聴を終えようとするユーザの意図を、３Ｄメガネ２０の電源２１の入切により判断することができ、３Ｄメガネ２０の電源２１の入切に連動させて立体映像表示及び非立体映像表示を自動的に切替えることにより、ユーザの手間を省くことができる。
【００５６】
また、本実施の形態に係る表示装置１０は、リモコン信号受信部１８を通じて受信するリモコン信号により、３Ｄメガネ２０の電源２１の入切を判断する構成としているため、立体映像を視聴しようとするユーザの意図、及び立体映像の視聴を終えようとするユーザの意図を判定するために、表示装置１０側に新たな判定手段を設ける必要がなく、既存の表示装置１０においても本願発明を適用することが可能となる。
【００５７】
なお、本実施の形態では、３Ｄメガネ２０の電源２１の入切りに応じて赤外線信号を表示装置１０へ送信する構成としたが、赤外線方式の通信に代えて、ブルートゥースなどの近距離無線通信を利用するものであってもよい。また、３Ｄメガネ２０の左眼用シャッタ２５及び右眼用シャッタ２６の開閉を制御するために、表示装置１０のメガネコントローラ１７は３Ｄメガネ２０と通信する機能を有しているので、この通信機能を利用して、切替信号及び解除信号を３Ｄメガネ２０から受信する構成であってもよい。
【００５８】
また、本実施の形態では、リモートコントローラを用いた遠隔操作により、非立体映像表示から立体映像表示への切替え、及び立体映像表示から非立体映像表示への切替えを許容する構成としたが、３Ｄメガネ２０の電源２１の入切のみに連動して、非立体映像表示から立体映像表示への切替え、及び立体映像表示から非立体映像表示への切替えを行うようにしてもよい。この場合、リモートコントローラの操作ミス等により、不用意に立体映像表示に切替えられたり、逆に立体映像表示が解除されたりすることを防止することができる。
【符号の説明】
【００５９】
１１  映像選択部
１２  映像処理部
１３  表示コントローラ
１４  液晶パネル
１５  バックライトコントローラ
１６  バックライト
１７  メガネコントローラ
１８  リモコン信号受信部
２０  ３Ｄメガネ
２１  電源
２２  電源スイッチ
２３  通信部
２４  シャッタ駆動部
２５  左眼用シャッタ
２６  右眼用シャッタ
２７  リモコン信号送信部
【図１】
2013198001.tif 000003
【図２】
2013198001.tif 000004
【図３】
2013198001.tif 000005
【図４】
2013198001.tif 000006
【図５】
2013198001.tif 000007